(57)【特許請求の範囲】
【請求項１】
仮設構造物に取り付けられる防音パネルであって、
四角形の外輪郭を形成している外輪郭フレームと、この外輪郭フレームの内側に配設され、前記内側よりも小さい面積を有していて、前記内側の一部を開口部としている閉塞板と、前記開口部を開閉する開閉体と、を有する仮設構造物用防音パネルにおいて、
前記開閉体の個数は２個であり、これらの開閉体は、板材で形成されていて、通気性がない又は殆どない第１扉と、エキスパンドメタルが主要部材となっていることにより、多数の貫通孔による通気性を有する第２扉とであり、
前記第１扉と前記第２扉は、前記外輪郭フレームの厚さ方向にずれてこの外輪郭フレームに配置されているとともに、これらの第１扉と第２扉は、前記閉塞板に対して前記外輪郭フレームの前記厚さ方向にずれてこの外輪郭フレームに配置されており、
前記第１扉と前記第２扉は、前記開口部を開けるために前記閉塞板におけるこの開口部側の一部と重なる位置と、前記開口部を閉じる位置との間において、前記外輪郭フレームの前記厚さ方向と直交する方向に個別にスライド自在となっており、
作業空間と外部空間との間に配置される前記外輪郭フレームの前記厚さ方向における前記第１扉と前記第２扉の配置位置は、前記第１扉の配置位置が前記外部空間側の位置となっていて、前記第２扉の配置位置が前記作業空間側の位置となっていることを特徴とする仮設構造物用防音パネル。
【請求項２】
請求項１に記載の仮設構造物用防音パネルにおいて、前記第１扉には、この第１扉をスライドさせるために手を掛ける手掛け部が、前記外輪郭フレームの前記厚さ方向となっている前記第１扉の厚さ方向に貫通した孔として形成されていることを特徴とする仮設構造物用防音パネル。
【請求項３】
請求項１に記載の仮設構造物用防音パネルにおいて、前記第１扉には、この第１扉をスライドさせるために手を掛ける手掛け部が、前記外輪郭フレームの前記厚さ方向となっている前記第１扉の厚さ方向の両側から窪んだ不貫通の凹部として形成されていることを特徴とする仮設構造物用防音パネル。
【請求項４】
請求項１〜３のいずれかに記載の仮設構造物用防音パネルにおいて、前記外輪郭フレームには、前記第１扉と前記第２扉のスライド方向の長さ寸法が、前記外輪郭フレームについての前記第１扉と前記第２扉のスライド方向の長さ寸法よりも短くなっているガイドフレームが取り付けられ、このガイドフレームに案内されて前記第１扉と前記第２扉が個別にスライド自在となっていることを特徴とする仮設構造物用防音パネル。
【請求項５】
請求項４に記載の仮設構造物用防音パネルにおいて、前記ガイドフレームは、上辺部と下辺部と右辺部と左辺部とからなる四角形の外輪郭を有するものであり、前記上辺部と前記下辺部には、前記外輪郭フレームの前記厚さ方向への延出長さを有するベース部と、このベース部からそれぞれが前記外輪郭フレームの内側へ延び、かつこの外輪郭フレームの前記厚さ方向に間隔を開けて並設されている第１内側延出部、第２内側延出部、第３内側延出部とが設けられ、前記第１内側延出部と前記第２内側延出部との間が前記第１扉をスライド自在に案内する第１ガイド溝になっているとともに、前記第２内側延出部と前記第３内側延出部との間が前記第２扉をスライド自在に案内する第２ガイド溝になっていることを特徴とする仮設構造物用防音パネル。
【請求項６】
請求項５に記載の仮設構造物用防音パネルにおいて、前記ガイドフレームの前記上辺部と前記下辺部には、前記ベース部から第１内側延出部、第２内側延出部、第３内側延出部とは反対側への延出長さを有する取付部が設けられ、これらの取付部が前記外輪郭フレームに止着具によって止着されていることを特徴とする仮設構造物用防音パネル。
【発明の詳細な説明】
【技術分野】
【０００１】
本発明は、橋梁や建築物等の構築物についての保守、点検、塗装、解体、建築等の作業を行う際に、構築物の周囲に組み立てられる仮設構造物に取り付けられ、作業空間から外部空間への騒音の漏出、物品の飛び出し等を防止するための防音パネルに係り、土木作業現場や建築作業現場等の各種の作業現場で用いられるものである。
【背景技術】
【０００２】
橋梁や建築物等の構築物についての保守、点検、塗装、解体、建築等の作業を行う際には、構築物の周囲に組み立てられる仮設構造物に多数の防音パネルを取り付け、これらの防音パネルで形成される仮設壁で作業現場の周囲を囲むことによって作業空間と外部空間とを仕切り、これにより、作業空間から外部空間への騒音の漏出、物品の飛び出し等を防止ことが行われる。このような防音パネルは、下記の特許文献１に示されており、この特許文献１に示されている防音パネルは、四角形の外輪郭を形成している外輪郭フレームと、この外輪郭フレームの内側に配設され、この内側よりも小さい面積を有していて、この内側の一部を開口部としている閉塞板と、この開口部を開閉する開閉体と、を有するものとなっており、この開閉体により開口部を開閉できるようにするために、開閉体は、取り付け、取り外し可能又はスライド自在となっている。
【０００３】
そして、この防音パネルでは、開閉体で塞がれている開口部を、開閉体を取り外したり、スライドさせることによって開けることにより、作業空間と外部空間との間で空気等を流通させることができるようになっている。
【先行技術文献】
【特許文献】
【０００４】
【特許文献１】実用新案登録第３０１１９７４号公報
【発明の概要】
【発明が解決しようとする課題】
【０００５】
しかし、防音パネルが用いられる各種の作業現場では、その作業内容に応じて種々の状況が生じる。このため、これらの状況に有効に対処できるようにするために、開口部を各種の形態に変化させることが求められる。
【０００６】
本発明の目的は、作業内容に応じて種々の状況が作業現場に生じても、これらの状況に有効に対処できるように、開口部を各種の形態に変化させることができるようになる仮設構造物用防音パネルを提供するところにある。
【課題を解決するための手段】
【０００７】
本発明に係る仮設構造物用防音パネルは、仮設構造物に取り付けられる防音パネルであって、四角形の外輪郭を形成している外輪郭フレームと、この外輪郭フレームの内側に配設され、前記内側よりも小さい面積を有していて、前記内側の一部を開口部としている閉塞板と、前記開口部を開閉する開閉体と、を有する仮設構造物用防音パネルにおいて、前記開閉体の個数は複数個であり、これらの開閉体は、通気性と透光性のうち、少なくとも１つについて異なっていることを特徴とするものである。
【０００８】
本発明に係る仮設構造物用防音パネルでは、開口部を開閉する開閉体は複数個あるため、これらの開閉体のうち、１個又は複数個の開閉体が開口部を開けている場合や、１個又は複数個の開閉体が開口部を閉じている場合、全部の開閉体が開口部を開けている場合や全部の開閉体が閉じている場合等に、開口部の形態を変化させることができるとともに、複数個の開閉体は、通気性と透光性のうち、少なくとも１つについて異なっているため、開口部を、通気性と透光性のうち、少なくとも１つの形態について変化させることができ、これにより、作業内容に応じて種々の状況が作業現場に生じても、これらの状況に有効に対処できるようになる。
【０００９】
なお、以上の本発明において、通気性とは、空気の流通性だけではなく、煙の流通性や塵埃の流通性を含むものである。
【００１０】
また、本発明において、開閉体の個数は、２個でもよく、３個以上でもよい。また、複数個の開閉体が、通気性と透光性のうち、少なくとも１つについて異なっているとは、通気性だけ又は透光性だけについて異なっていてもよく、あるいは、通気性と透光性の両方について異なっていてもよいとの意味である。さらに、複数個の開閉体についての通気性が異なっていることについては、通気性の程度が異なっていることでもよく、複数個の開閉体についての透光性が異なっていることについては、透明や半透明のように、透光性の程度が異なっていることでもよい。
【００１１】
また、本発明において、外輪郭フレームの内側の一部に設けられている開口部を複数個の開閉体により開閉自在とするためには、例えば、それぞれの開閉体を外輪郭フレームに対し取り付け、取り外し可能としてもよく、あるいは、それぞれの開閉体を、外輪郭フレームの内側において、開口部を開閉する方向へ外輪郭フレームに対し個別にスライド自在にして配置してもよい。
【００１２】
また、後者のようにそれぞれの開閉体を、外輪郭フレームの内側において、開口部を開閉する方向へ外輪郭フレームに対し個別にスライド自在にして配置する場合には、それぞれの開閉体を、外輪郭フレームの厚さ方向に並設してもよい。
【００１３】
これによると、複数個の開閉体の全部により開口部を閉じることと、複数個の開閉体の全部が開口部を開けることとを実施することができる。
【００１４】
また、上述したようにそれぞれの開閉体を、外輪郭フレームの内側において、開口部を開閉する方向へ外輪郭フレームに対し個別にスライド自在にして配置する場合には、外輪郭フレームにガイドフレームを取り付け、このガイドフレームに案内されて複数個の開閉体を、開口部を開閉する方向へ個別にスライド自在としてもよい。
【００１５】
これによると、それぞれの開閉体が、ガイドフレームに案内されて開口部を開閉する方向へスライド自在となるため、開口部を開閉するためにそれぞれの開閉体をスライドさせることを、ガイドフレームによる案内作用により円滑かつ確実に行えるようになる。
【００１６】
そして、本発明において、複数個の開閉体のうち、１個の開閉体を、貫通孔が多数設けられている多孔性の開閉体としてもよい。
【００１７】
これによると、この１個の開閉体で開口部を閉じることにより、開口部のある程度の通気性を確保しながら、防音パネルで仕切られる作業空間から外部空間へ物品が飛び出すことを防止できる。
【００１８】
また、本発明において、複数個の開閉体の個数を２個とする場合には、これらの開閉体のうち、１個の開閉体を、貫通孔が多数設けられている多孔性の開閉体とし、残りの開閉体を、開口部の通気性を遮断又は略遮断する開閉体としてもよい。
【００１９】
これによると、２個の開閉体で開口部を閉じることにより、通気性を遮断又は略遮断する開閉体により開口部の通気性を遮断又は略遮断することと、防音パネルで仕切られる作業空間から外部空間へ物品が飛び出すことを多孔性の開閉体により防止することとを達成できる。
【００２０】
なお、このような多孔性の開閉体は、エキスパンドメタルによるものでもよく、あるいは、パンチングメタルによるものでもよく、あるいは、金網部材によるものでもよい。
【００２１】
本発明に係る仮設構造物用防音パネルは、仮設構造物が設けられる各種の作業現場で用いることができ、この作業現場は、橋梁や建築物等の構築物についての保守、点検作業現場でもよく、塗装の作業現場でもよく、解体の作業現場でもよく、建築の作業現場でもよい。
【発明の効果】
【００２２】
本発明によると、作業内容に応じた種々の状況が作業現場に生じても、これらの状況に有効に対処できる各種の形態に防音パネルの開口部を変化させることができるという効果を得られる。
【図面の簡単な説明】
【００２３】
【図１】図１は、本発明の一実施形態に係る防音パネルが取り付けられている仮設構造物を示す側面図である。
【図２】図２は、図１のＳ２−Ｓ２線断面図である。
【図３】図３は、防音パネルの表面図である。
【図４】図４は、防音パネルの裏面図である。
【図５】図５は、防音パネルの平面図と底面図であり、（Ａ）は平面図であり、（Ｂ）は底面図である。
【図６】図６は、防音パネルの左右の側面図であり、（Ａ）は右側面図であり、（Ｂ）は左側面図である。
【図７】図７は、図３及び図４のＳ７−Ｓ７線断面図である。
【図８】図８は、図３及び図４のＳ８−Ｓ８線断面図である。
【図９】図９は、２個の開閉体である第１扉と第２扉の裏面図であり、（Ａ）は第１扉であり、（Ｂ）は第２扉である。
【図１０】図１０は、外輪郭フレームにガイドフレームを結合する以前を示す裏面図である。
【図１１】図１１は、開口部に対し第１扉を開け、第２扉を閉じたときを示す図４と同様の図である。
【図１２】図１２は、開口部に対し第１扉と第２扉の両方を開けたときを示す図４と同様の図である。
【図１３】図１３は、開口部に対し第１扉を閉じ、第２扉を開けたときを示す図４と同様の図である。
【図１４】図１４は、開口部に対し第１扉を半分閉じ、第２扉を開けたときを示す図４と同様の図である。
【発明を実施するための形態】
【００２４】
以下に本発明を実施するための形態を図面に基づいて説明する。図１には、例えば、橋梁についての保守、点検作業や塗装作業が行われる作業現場において、組み立てられた仮設構造物１と、この仮設構造物１に取り付けられた防音パネル１０とが示されており、図２は、図１のＳ２−Ｓ２線断面図である。図１に示されている本実施形態の仮設構造物１は、支柱２と、この支柱２に端部が結合された水平材３とを含んで構成されており、支柱２に取り付けられたクランプ４のフック部４Ａが、防音パネル１０の上下面に形成されている孔に挿入係止されることにより、防音パネル１０が仮設構造物１に取り付けられている。
【００２５】
図１及び図２には、本実施形態に係る防音パネル１０と、開閉体で開閉される開口部が設けられていない通常の防音パネル１０’とが示されており、これらの防音パネル１０と防音パネル１０’により、作業現場の周囲に仮設壁５が形成され、この仮設壁５により、図１及び図２に示されている作業空間Ａと外部空間Ｂとが仕切られている。
【００２６】
図３は、防音パネル１０の表面図であり、図４は、防音パネル１０の裏面図である。これらの図３及び図４に示されているように、防音パネル１０の外輪郭は、四角形の外輪郭フレーム１１により形成されている。この外輪郭は、左右方向の寸法が上下方向の寸法よりも大きい長方形となっているため、外輪郭フレーム１１は、長辺部となっている上辺部１１Ａ及び下辺部１１Ｂと、短辺部となっている右側辺部１１Ｃ及び左側辺部１１Ｄとからなる。図５の（Ａ）及び（Ｂ）には、防音パネル１０の平面図と底面図が示されており、これらの図５の（Ａ）及び（Ｂ）に示されているように、上辺部１１Ａ及び下辺部１１Ｂの長さ方向両端部には、図１及び図２で示したクランプ４のフック部４Ａが挿入係止される長孔１２が形成されている。また、図６の（Ａ）及び（Ｂ）には、防音パネル１０の左右の側面図が示されており、これらの図６の（Ａ）及び（Ｂ）に示されているように、右側辺部１１Ｃと左側辺部１１Ｄのうち、一方には、左右方向に隣接配設される他の防音パネルとの間を気密状態に塞ぐための気密部材１３が取り付けられている（図２も参照）。
【００２７】
外輪郭フレーム１１の上辺部１１Ａと下辺部１１Ｂと右側辺部１１Ｃと左側辺部１１Ｄは、アルミ製又はアルミ合金製の押し出し成形品又は引き抜き成形品を所定長さで切断して形成した複数本の棒状材を溶接や連結材で連結したものであり、このため、上辺部１１Ａと下辺部１１Ｂと右側辺部１１Ｃと左側辺部１１Ｄは、それぞれの長さ方向と直交する断面形状が長さ方向に同一形状となって連続するものとなっており、この断面形状は、上辺部１１Ａと下辺部１１Ｂと右側辺部１１Ｃと左側辺部１１Ｄについて同じとなっている。図７は、図３及び図４のＳ７−Ｓ７線断面図であり、図８は、図３及び図４のＳ８−Ｓ８線断面図であり、これらの図７及び図８には、外輪郭フレーム１１の長辺部となっている上辺部１１Ａの断面図が、上辺部１１Ａと下辺部１１Ｂと右側辺部１１Ｃと左側辺部１１Ｄのそれぞれの断面図の代表例として示されているため、以下では、上辺部１１Ａの断面形状を図７及び図８により説明する。
【００２８】
上辺部１１Ａにおける防音パネル１０の表面側の端部からは、すなわち、上辺部１１Ａにおける図１及び図２で示した外部空間Ｂ側の端部からは、外輪郭フレーム１１の内側へ延出する第１延出部１４が形成され、この第１延出部１４の先端は、防音パネル１０の表面側へ屈曲した屈曲部１５となっており、この屈曲部１５の先端には、外輪郭フレーム１１の内側へ延びる覆い部１６が設けられている。また、上辺部１１Ａにおける外輪郭フレーム１１の内面からは、外輪郭フレーム１１の厚さ方向途中部において、言い換えると、防音パネル１０の厚さ方向途中部において、外輪郭フレーム１１の内側へ延出する第２延出部１７が形成され、この第２延出部１７の先端には、防音パネル１０の表面側へ屈曲している屈曲部１８を介して、外輪郭フレーム１１の内側へ延出する第１壁部１９が設けられている。この第１壁部１９の先端には、防音パネル１０の表面側へ延出するベース部２０が設けられ、このベース部２０の先端と、第１延出部１４と屈曲部１５の接続部との間には、第１壁部１９と平行になっている第２壁部２１が設けられている。
【００２９】
このため、上辺部１１Ａには、覆い部１６と第２壁部２１との間において、収納空間２２が設けられている。
【００３０】
また、上辺部１１Ａにおける防音パネル１０の裏面側の端部からは、すなわち、上辺部１１Ａにおける図１及び図２で示した作業空間Ａ側の端部からは、外輪郭フレーム１１の内側へ延出する第３延出部２３が形成されている。
【００３１】
図１０には、外輪郭フレーム１１の内側に、図３及び図４でも示されている閉塞板３０を配設した状態が示されている。この閉塞板３０は、外輪郭フレーム１１の内側よりも小さい面積を有するものであり、閉塞板３０の上下寸法は、外輪郭フレーム１１の上下寸法よりも若干小さく、閉塞板３０の左右寸法は、外輪郭フレーム１１の左右寸法の四分の三程度の寸法となっている。そして、閉塞板３０は、外輪郭フレーム１１の左右方向のうち、一方の側に寄せられて外輪郭フレーム１１の内側に配設されており、本実施形態では、閉塞板３０は、防音パネル１０の表面図である図３に示されているように、外輪郭フレーム１１の左側辺部１１Ｄ側に寄せられている（図１０は外輪郭フレーム１１の裏面図であるため、図３とは閉塞板３０が寄せられている側が左右の反対側となっている。）ため、閉塞板３０の三方の端部である上端部と下端部と左側端部が、上辺部１１Ａの収納空間２２と、下辺部１１Ｂの収納空間２２と、左側辺部１１Ｄの収納空間２２とに収納されることにより、閉塞板３０は外輪郭フレーム１１の内側に配設されている。
【００３２】
このように閉塞板３０の三方の端部を上辺部１１Ａ、下辺部１１Ｂ及び左側辺部１１Ｄの収納空間２２に収納して、閉塞板３０を外輪郭フレーム１１の内側に配設することは、外輪郭フレーム１１の材料である前述のアルミ製又はアルミ合金製の複数本の棒状材を溶接や連結材で連結する以前において行われている。
【００３３】
以上のように閉塞板３０を、外輪郭フレーム１１の左右方向の一方側である左側辺部１１Ｄ側へ寄せて外輪郭フレーム１１の内側に配設することにより、この外輪郭フレーム１１の内側には、図１０に示されている開口部Ｓが形成される。この開口部Ｓは、外輪郭フレーム１１の厚さ方向に、すなわち、防音パネル１０の厚さ方向に貫通している。
【００３４】
このように閉塞板３０を、左側辺部１１Ｄ側へ寄せて外輪郭フレーム１１の内側に配設することにより、外輪郭フレーム１１の内側の左右方向の隅部に開口部Ｓを形成すると、この開口部Ｓは、四角形の外輪郭フレーム１１を形成している上辺部１１Ａと下辺部１１Ｂと右側辺部１１Ｃと左側辺部１１Ｄのうち、上辺部１１Ａと下辺部１１Ｂと右側辺部１１Ｃの３つの辺部により囲まれたものとなる。これによると、開口部を外輪郭フレームの左右方向の中央部に形成して、この開口部を囲む辺部を上辺部と下辺部の２つの辺部にした場合よりも、開口部Ｓの周囲の強度を大きくすることができ、これにより、強度の大きい開口部Ｓを外輪郭フレーム１１に形成できる。
【００３５】
また、本実施形態では、外輪郭フレーム１１で形成されている四角形は、左右寸法が上下寸法よりも大きい横長の長方形であるため、上辺部１１Ａと下辺部１１Ｂは、長さが長い長辺部となっていて、右側辺部１１Ｃと左側辺部１１Ｄは、長さが短い短辺部となっており、開口部Ｓを囲んでいる上記３つの辺部は、長辺部となっている上辺部１１Ａと下辺部１１Ｂと、短辺部となっている右側辺部１１Ｃであるため、外輪郭フレーム１１の内側の隅部に設ける開口部Ｓの左右方向の寸法を、必要に応じて長い寸法や短い寸法に任意に決定することができる。
【００３６】
図９の（Ａ）及び（Ｂ）には、開口部Ｓを開閉する２個の開閉体となっている第１扉３１と第２扉３２とが示されている。これらの第１扉３１と第２扉３２の左右寸法は、開口部Ｓの左右寸法よりも若干大きく、第１扉３１と第２扉３２の上下寸法は、開口部Ｓの上下寸法と同じ程度になっている。
【００３７】
また、図１０には、これらの第１扉３１と第２扉３２を開口部Ｓを開閉する方向に個別にスライド自在に案内するためのガイドフレーム３３が示されている。このガイドフレーム３３は、外輪郭フレーム１１と同様に、上辺部３３Ａと下辺部３３Ｂと右側辺部３３Ｃと左側辺部３３Ｄとからなる四角形の外輪郭を有するものであり、上辺部３３Ａ及び下辺部３３Ｂの長さ寸法は、外輪郭フレーム１１の上辺部１１Ａ及び下辺部１１Ｂの長さ寸法の略半分であり、右側辺部３３Ｃ及び左側辺部３３Ｄの長さ寸法は、外輪郭フレーム１１の右側辺部１１Ｃ及び左側辺部１１Ｄの長さ寸法よりも若干小さくなっている。
【００３８】
そして、ガイドフレーム３３の上辺部３３Ａと下辺部３３Ｂと右側辺部３３Ｃと左側辺部３３Ｄは、外輪郭フレーム１１と同様に、アルミ製又はアルミ合金製の押し出し成形品又は引き抜き成形品を所定長さで切断して形成した複数本の棒状材を溶接や連結材で連結したものであるため、上辺部３３Ａと下辺部３３Ｂと右側辺部３３Ｃと左側辺部３３Ｄは、それぞれの長さ方向と直交する断面形状が長さ方向に同一形状となって連続するものとなっている。
【００３９】
このように断面形状が同じとなっている上辺部３３Ａと下辺部３３Ｂと右側辺部３３Ｃと左側辺部３３Ｄのうち、図８には、上辺部３３Ａの断面形状が示されている。この上辺部３３Ａは、外輪郭フレーム１１の厚さ方向への延出長さを有するベース部３５が設けられており、このベース部３５から取付部３６が外輪郭フレーム１１の外側へ延びているとともに、ベース部３５から第１内側延出部３７、第２内側延出部３８、第３内側延出部３９が外輪郭フレーム１１の内側へ延びており、これらの内側延出部３７，３８，３９は、外輪郭フレーム１１の厚さ方向に間隔を開けて並設されている。このため、上辺部３３Ａには、第１内側延出部３７と第２内側延出部３８との間において、第１ガイド溝４１が形成されているとともに、第２内側延出部３８と第３内側延出部３９との間において、第２ガイド溝４２が形成されている。
【００４０】
図１０で示されている第１扉３１の上下端部は、上辺部３３Ａの第１ガイド溝４１と下辺部３３Ｂの第１ガイド溝４１とに挿入されているとともに、第２扉３２の上下端部は、上辺部３３Ａの第２ガイド溝４２と下辺部３３Ｂの第２ガイド溝４２とに挿入されている。このため、これらの扉３１，３２は、これらの扉３１，３２の左右寸法よりも大きい左右寸法を有していて、上辺部３３Ａと下辺部３３Ｂと右側辺部３３Ｃと左側辺部３３Ｄにより四角形に形成されているガイドフレーム３３の内側において、第１ガイド溝４１と第２ガイド溝４２に案内されてスライド自在に配置されている。
【００４１】
なお、このように第１扉３１と第２扉３２を、ガイドフレーム３３の内側において、第１ガイド溝４１と第２ガイド溝４２に案内されてスライド自在に配置することは、ガイドフレーム３３の材料である前述のアルミ製又はアルミ合金製の複数本の棒状材を溶接や連結材で連結する以前において行われている。
【００４２】
以上のように第１扉３１と第２扉３２が内側にスライド自在に配置されたガイドフレーム３３を、図１０で分かるように、外輪郭フレーム１１に形成されている開口部Ｓにガイドフレーム３３の内側の一部の箇所が重なるようにして、外輪郭フレーム１１に結合すると、開口部Ｓを第１扉３１と第２扉３２により開閉できる状態になる。
【００４３】
このようにガイドフレーム３３を、外輪郭フレーム１１の開口部Ｓにガイドフレーム３３の内側の一部の箇所が重なるようにして、外輪郭フレーム１１に結合することは、ガイドフレーム３３の上辺部３３Ａと外輪郭フレーム１１の上辺部１１Ａが示されている図８で分かるように、ガイドフレーム３３の上辺部３３Ａを外輪郭フレーム１１の上辺部１１Ａに、ガイドフレーム３３の下辺部３３Ｂを外輪郭フレーム１１の下辺部１１Ｂに、ガイドフレーム３３の右側辺部３３Ｃを外輪郭フレーム１１の右側辺部１１Ｃに、それぞれ防音パネル１０の裏面側から重ね合せ、この後に、ガイドフレーム３３の上辺部３３Ａと下辺部３３Ｂと右側辺部３３Ｃに設けられている取付部３６を、外輪郭フレーム１１の上辺部１１Ａと下辺部１１Ｂと右側辺部１１Ｃに設けられている第１壁部１９及び第２壁部２１に、タッピングビス等の止着具４５によって止着することにより行われる。
【００４４】
また、本実施形態では、図７に示されているように、ガイドフレーム３３が配置されない外輪郭フレーム１１の箇所では、タッピングビス等の止着具４６が、外輪郭フレーム１１の上辺部１１Ａと下辺部１１Ｂと右側辺部１１Ｃに設けられている第１壁部１９及び第２壁部２１にねじ込まれて、止着具４６の先端が閉塞板３０の内部に侵入しているため、外輪郭フレーム１１に対する閉塞板３０の取り付けは、止着具４６により行われている。
【００４５】
以上の止着具４５及び止着具４６は、外輪郭フレーム１１とガイドフレーム３３の裏面を示している図４にも示されている。
【００４６】
また、上述したようにガイドフレーム３３を、外輪郭フレーム１１の開口部Ｓにガイドフレーム３３の内側の一部の箇所が重なるようにして、外輪郭フレーム１１に結合すると、ガイドフレーム３３の上辺部３３Ａは外輪郭フレーム１１の上辺部１１Ａに、ガイドフレーム３３の下辺部３３Ｂは外輪郭フレーム１１の下辺部１１Ｂに、ガイドフレーム３３の右側辺部３３Ｃが外輪郭フレーム１１の右側辺部１１Ｃに、それぞれ止着具４５により止着されることになる。これによると、前述した開口部Ｓを囲む３つ辺部となっている外輪郭フレーム１１の上辺部１１Ａと下辺部１１Ｂと右側辺部１１Ｃは、ガイドフレーム３３の上辺部３３Ａと下辺部３３Ｂと右側辺部３３Ｃにより補強されたことと同じになる。このため、外輪郭フレーム１１の内側に形成された開口部Ｓの強度を、ガイドフレーム３３によって一層向上させることができる。
【００４７】
また、ガイドフレーム３３を、外輪郭フレーム１１の開口部Ｓにガイドフレーム３３の内側の一部の箇所が重なるようにして、外輪郭フレーム１１に結合した後は、第１扉３１と第２扉３２は、外輪郭フレーム１１の厚さ方向に並設されてこの外輪郭フレーム１１に配置されることになり、第１扉３１と第２扉３２についての外輪郭フレーム１１の厚さ方向の配置位置は、第１扉３１が、図１及び図２で示す外部空間Ｂ側となっている防音パネル１０の表面側の位置であり、第２扉３２が、図１及び図２で示す作業空間Ａ側となっている防音パネル１０の裏面側の位置である。
【００４８】
ガイドフレーム３３が外輪郭フレーム１１に結合された後に、第１扉３１と第２扉３２を個別にスライド操作することにより、外輪郭フレーム１１の内側に形成されている開口部Ｓは、これらの扉３１，３２により個別に開閉されることになる。
【００４９】
本実施形態において、開口部Ｓよりも大きい面積を有していて、この開口部Ｓを残して外輪郭フレーム１１の内側に配設されている前述の閉塞板３０は、透明、あるいは、着色された又は着色されていない半透明、あるいは、不透明の板材で形成されており、この板材は、例えば、ポリカーボネート製である。また、開口部Ｓを開閉するための２個の開閉体のうち、第１開閉体となっている前述の第１扉３１も、例えば、透明、あるいは、着色された又は着色されていない半透明、あるいは、不透明の板材で形成されており、この板材も、例えば、ポリカーボネート製である。そして、第１扉３１には、図９の（Ａ）に示されているように、この第１扉３１をガイドフレーム３３に案内させてスライドさせることができるようにするために、手を掛けるための手掛け部４７が形成されており、本実施形態では、この手掛け部４７は、外輪郭フレーム１１の厚さ方向となっている第１扉３１の厚さ方向に貫通した縦長の長孔となっている。
【００５０】
このため、以上のように形成されている第１扉３１は、通気性がない又は殆どないものとなっている。なお、手掛け部４７は、第１扉３１の厚さ方向両側から窪んだ不貫通の凹部としてもよい。
【００５１】
さらに、図９の（Ｂ）に示されていて、開口部Ｓを開閉するための２個の開閉体のうち、第２開閉体となっている第２扉３２は、四角形の網目状のエキスパンドメタル５０を主要部材とし、このエキスパンドメタル５０の全周を４つのフレーム部材５１で囲み、かつエキスパンドメタル５０の上下方向中央部に横桟５２を設け、エキスパンドメタル５０の表裏両面に配置されているフレーム部材５１同士、及びエキスパンドメタル５０の表裏両面に配置されている横桟５２同士を、エキスパンドメタル５０を貫通するブラインドリベット等の止着具５３により結合したものである。
【００５２】
このため、網目状のエキスパンドメタル５０が主要部材となっている第２扉３２は、多数の貫通孔が設けられている多孔性の扉となっている。したがって、第２扉３２は、第１扉３１と比較すると、大きな通気性を有する。また、第１扉３１を、前述したように、不透明の板材で形成した場合には、第２扉３２は、第１扉３１と比較すると、大きな透光性を有する。また、第１扉３１を、半透明の板材で形成した場合には、第２扉３２は、第１扉３１と同じ程度の透光性を有することになり、第１扉３１と第２扉３２は、通気性の点で異なることになる。さらに、第１扉３１を、透明の板材で形成した場合には、第２扉３２は、第１扉３１よりも低度の透光性を有することになる。
【００５３】
防音パネル１０の裏面を示している図１１は、外輪郭フレーム１１の開口部Ｓに対し第１扉３１を開け、第２扉３２を閉じたときを示している。このときには、第２扉３２が有する通気性の分だけ、防音パネル１０で仕切られる作業空間Ａと外部空間Ｂとの間での空気や煙の通気性が確保され、また、作業空間Ａでの作業等で生じる物品が外部空間Ｂへ飛び出すことが、大きな網目状の部分を有する第２扉３２により防止される。
【００５４】
図１１と同じく防音パネル１０の裏面を示している図１２は、外輪郭フレーム１１の開口部Ｓに対し第１扉３１と第２扉３２の両方を開けたときを示している。このときには、開口部Ｓの全体又は略全体が開口するため、作業空間Ａと外部空間Ｂに連続配設しなければならない長寸部材、例えば、排気ダクト５５を開口部Ｓを挿通させて配管することができ、また、作業者は、開口部Ｓを通って作業空間Ａと外部空間Ｂを行き来することもでき、さらに、良好の通気性を確保することができる。
【００５５】
図１１及び図１２と同じく防音パネル１０の裏面を示している図１３は、開口部に対し第１扉３１を閉じ、第２扉３２を開けたときを示している。このときには、本実施形態に係る防音パネル１０は、開口部Ｓの通気性が第１扉３１により遮断又は略遮断されるため、外輪郭フレームの内側の全体が閉塞板で塞がれている通常の防音パネルと同じ又は略同じ状態になる。このため、閉塞板３０及び第１扉３１が、不透明の板材で形成されている場合には、作業空間Ａを外部空間Ｂから視認することができない状態になり、また、閉塞板３０及び第１扉３１が、透明又は半透明の板材で形成されている場合には、作業空間Ａを外部空間Ｂから視認又は略視認することができる状態になる。
【００５６】
防音パネル１０の表面を示している図３と、防音パネル１０の裏面を示している図４は、第１扉３１と第２扉３２の両方が開口部Ｓを閉じているときを示している。このときには、開口部Ｓの通気性を第１扉３１により遮断又は略遮断することができるとともに、作業空間Ａから外部空間Ｂへ物品が飛び出すことを第２扉３２により防止することができる。
【００５７】
特に本実施形態では、前述したように、第１扉３１が外部空間Ｂ側に配置され、第２扉３２が作業空間Ａ側に配置されているため、作業空間Ａから外部空間Ｂへ飛び出す物品は、第１扉３１に当たる前に第２扉３２に当たるため、この物品により第１扉３１が損傷することを防止することができる。
【００５８】
図１１〜図１３と同じく防音パネル１０の裏面を示している図１４では、図３及び図４に対し第２扉３２を開けるとともに、第１扉３１を少し開き、開口部Ｓを半開きの状態としたときを示している。これによると、開口部Ｓにより、例えば、作業工具等を作業空間Ａと外部空間Ｂとの間で受け渡しすることできて、この後に、直ちに開口部Ｓを第１扉３１により閉じることができる。
【００５９】
以上説明したように、本実施形態では、外輪郭フレーム１１の内側に設けられた開口部Ｓを開閉する開閉体は、第１扉３１と第２扉３２の２個あり、しかも、これらの扉３１，３２は、通気性と透光性のうち、少なくとも１つについて異なっているため、作業空間Ａで行われる作業内容の状況に応じて開口部Ｓの形態を変化させることができ、作業状況に適切に対処できるようになる。
【産業上の利用可能性】
【００６０】
本発明は、橋梁や建築物等の構築物についての保守、点検、塗装、解体、建築等の作業現場で組み立てられる仮設構造物に利用することができる。
【符号の説明】
【００６１】
１  仮設構造物
１０  防音パネル
１１  外輪郭フレーム
１１Ａ  上辺部
１１Ｂ  下辺部
１１Ｃ  右側辺部
１１Ｄ  左側辺部
３０  閉塞板
３１  開閉体である第１扉
３２  開閉体である第２扉
３３  ガイドフレーム
３３Ａ  上辺部
３３Ｂ  下辺部
３３Ｃ  右側辺部
３３Ｄ  左側辺部
５０  第２扉を構成しているエキスパンドメタル
Ｓ  開口部
【図１】
0006709043.tif 000002
【図２】
0006709043.tif 000003
【図３】
0006709043.tif 000004
【図４】
0006709043.tif 000005
【図５】
0006709043.tif 000006
【図６】
0006709043.tif 000007
【図７】
0006709043.tif 000008
【図８】
0006709043.tif 000009
【図９】
0006709043.tif 000010
【図１０】
0006709043.tif 000011
【図１１】
0006709043.tif 000012
【図１２】
0006709043.tif 000013
【図１３】
0006709043.tif 000014
【図１４】
0006709043.tif 000015